(57)【要約】【課題】プリンタのトナーセーブ機能をより有効に活用できるようにする。【解決手段】１色以上のトナーを用いて画像を印刷するとともに、画像の印刷に際してトナーの使用を通常印刷モードよりも節約するトナーセーブモードを有するプリンタ２に対して、印刷対象となる画像データを供給するホストコンピュータ１のプリンタドライバ６の処理機能として、トナーを用いた印刷の画素数をカウントするカウント手段と、このカウント手段でカウントした印刷の画素数に基づいて、画像の印刷に使用されるトナーの使用量を算出する算出手段と、この算出手段で算出したトナーの使用量に応じて、トナーセーブモードのオンオフを設定する設定手段とを備えた構成とする。【選択図】        図１
2004177884.tif 000002
【特許請求の範囲】
【請求項１】
１色以上の画像形成材料を用いて画像を印刷するとともに、前記画像の印刷に際して前記画像形成材料の使用を通常印刷モードよりも節約するセーブモードを有する画像印刷装置に対して、印刷対象となる画像データを供給する画像処理装置であって、
前記画像形成材料を用いた印刷の画素数をカウントするカウント手段と、
前記カウント手段でカウントした前記印刷の画素数に基づいて、前記画像の印刷に使用される前記画像形成材料の使用量を算出する算出手段と、
前記算出手段で算出した前記画像形成材料の使用量に応じて、前記セーブモードのオンオフを設定する設定手段と
を備えることを特徴とする画像処理装置。
【請求項２】
前記カウント手段は、前記印刷の画素数を各色毎にカウントし、
前記算出手段は、前記画像形成材料の使用量を各色毎に算出し、
前記設定手段は、前記セーブモードのオンオフを各色毎に設定する
ことを特徴とする請求項１記載の画像処理装置。
【請求項３】
前記算出手段は、前記画像形成材料の使用量をページ単位又はジョブ単位で算出する
ことを特徴とする請求項１記載の画像処理装置。
【請求項４】
前記設定手段は、前記算出手段で算出した前記画像形成材料の使用量と予め設定された閾値とを比較し、この比較結果に基づいて前記セーブモードのオンオフを設定する
ことを特徴とする請求項１記載の画像処理装置。
【請求項５】
前記算出手段で算出した前記画像形成材料の使用量を通知する通知ボックスと前記セーブモードのオンオフを選択可能な選択ボックスとを含む設定用画面を表示する表示手段を有し、
前記設定手段は、前記表示手段により表示した前記設定用画面でユーザが前記選択ボックスを用いて選択した選択結果にしたがって前記セーブモードのオンオフを設定する
ことを特徴とする請求項１記載の画像処理装置。
【請求項６】
前記閾値を設定するための値を入力する入力手段と、
前記入力手段によって入力された前記値にしたがって前記閾値を変更する変更手段と
を具備することを特徴とする請求項４記載の画像処理装置。
【請求項７】
１色以上の画像形成材料を用いて画像を印刷するとともに、前記画像の印刷に際して前記画像形成材料の使用を通常印刷モードよりも節約するセーブモードを有する画像印刷装置に対して、印刷対象となる画像データを供給する画像処理方法であって、
前記画像形成材料を用いた印刷の画素数をカウントするカウント処理と、
前記カウント処理でカウントした前記印刷の画素数に基づいて、前記画像の印刷に使用される前記画像形成材料の使用量を算出する算出処理と、
前記算出処理で算出した前記画像形成材料の使用量に応じて、前記セーブモードのオンオフを設定する設定処理と
を含むことを特徴とする画像処理方法。
【請求項８】
１色以上の画像形成材料を用いて画像を印刷するとともに、前記画像の印刷に際して前記画像形成材料の使用を通常印刷モードよりも節約するセーブモードを有する画像印刷装置と、この画像印刷装置に印刷対象となる画像データを供給する画像処理装置とからなる画像処理システムであって、
前記画像処理装置は、
前記画像形成材料を用いた印刷の画素数をカウントするカウント手段と、
前記カウント手段でカウントした前記印刷の画素数に基づいて、前記画像の印刷に使用される前記画像形成材料の使用量を算出する算出手段と、
前記算出手段で算出した前記画像形成材料の使用量に応じて、前記セーブモードのオンオフを設定する設定手段と
を備えることを特徴とする画像処理システム。
【発明の詳細な説明】
【０００１】
【発明の属する技術分野】
本発明は、画像の印刷に用いられるトナーなどの画像形成材料の使用を節約するセーブモードの設定を行う際に適用して好適な画像処理装置、画像処理方法及び画像処理システムに関する。
【０００２】
【従来の技術】
電子写真方式を用いて用紙等の記録媒体に画像を印刷するプリンタ（レーザプリンタ等）では、感光ドラム上にレーザビームを照射することにより静電潜像を形成するとともに、この静電帯電を現像機によるトナーの供給によって可視化してトナー像を形成し、このトナー像を記録媒体に転写、定着させている。この種のプリンタとしては、複数色（例えば、シアン、イエロー、マゼンタの３色や、これにブラックを加えた４色）のトナーを用いてカラー画像を印刷するものが知られている。
【０００３】
また、プリンタの中には、トナーを用いて画像を印刷するときの印刷動作モードとして、印刷用の画像データ（以下、印刷データとも記す）の濃度に合わせてトナーの量を調節する通常印刷モード（トナーの使用を節約しないモード）の他に、トナーの使用を通常印刷モードよりも節約するセーブモード（トナーセーブモード）を備えたものがある。トナーセーブの具体的な手法としては、印刷データを間引いて印刷する方法や、レーザビームによる静電潜像の書き込みの際にレーザビーム径を細くする方法、あるいは現像機によるトナーの付着量を現像スリーブの回転速度を変えて減らす方法などが知られている。
【０００４】
また、トナーを用いて画像記録を行うファクシミリ装置として、ファクシミリ情報に基づいて作成された記録画像データが表す内容の重要度に応じて、トナーを節約するトナーセーブ記録と非トナーセーブ記録とを自動で選択するものが公知となっている（特許文献１参照）。
【０００５】
【特許文献１】
特開平７−２９８０１９号公報（第１頁、請求項１）
【０００６】
このようなトナーセーブ機能をプリンタに実装した場合は、上記ファクシリミリ装置のように記録画像データの重要度によってトナーセーブのオンオフを選択するような制御形態を適用することはできない。そのため、トナーセーブ機能をプリンタに実装した場合は、プリンタ制御用のドライバソフトウェア（プリンタドライバ）が組み込まれたホストコンピュータで、プリンタごとの機能設定画面によりトナーセーブモードのオンオフをユーザが入力機器を使って設定し、印刷時には予めホストコンピュータ上で設定されたトナーセーブモードのオンオフ状態にしたがってプリンタが印刷を行うのが一般的である。
【０００７】
【発明が解決しようとする課題】
しかしながら、電子情報として記録されているデータをプリンタで用紙等に印刷する場合、実際にトナーがどの程度使用されるのかをユーザ側で正確に把握することは困難である。そのため、どのようなデータを印刷するときにトナーセーブモードを実行すべきであるのかをユーザ側で適切に判断することが難しかった。その結果、本来であればトナーセーブモードの設定（オンオフ）を切り替えて印刷すべき状況でも、トナーセーブモードの設定がオン状態又はオフ状態のままで固定的に取り扱われるケースが多かった。したがって、例えばレイアウト確認のための印刷であっても、プリンタでトナーセーブモードが実行されずにトナーを大量に消費してしまったり、逆にトナーの使用量が少ない印刷（例えば、テキストデータのみの印刷）であるにもかかわらず、プリンタでトナーセーブモードが実行されて文字が見づらくなったりするなどの不具合を招く恐れがあった。
【０００８】
【課題を解決するための手段】
本発明に係る画像処理装置は、１色以上の画像形成材料を用いて画像を印刷するとともに、画像の印刷に際して画像形成材料の使用を通常印刷モードよりも節約するセーブモードを有する画像印刷装置に対して、印刷対象となる画像データを供給する画像処理装置であって、画像形成材料を用いた印刷の画素数をカウントするカウント手段と、このカウント手段でカウントした印刷の画素数に基づいて、画像の印刷に使用される画像形成材料の使用量を算出する算出手段と、この算出手段で算出した画像形成材料の使用量に応じて、セーブモードのオンオフを設定する設定手段とを備えるものである。
【０００９】
この画像処理装置においては、印刷対象となる画像データを画像印刷装置に供給するにあたり、画像形成材料を用いた印刷の画素数がカウント手段でカウントされるとともに、このカウントされた印刷の画素数に基づいて、画像の印刷に使用される画像形成材料の使用量が算出手段で算出され、さらにこの算出された画像形成材料の使用量に応じて、セーブモードのオンオフが設定手段で設定される。これにより、実際に画像の印刷に使用される画像形成材料の使用量に合わせて、セーブモードのオンオフが設定されるようになる。
【００１０】
【発明の実施の形態】
以下、本発明の具体的な実施の形態について図面を用いて詳細に説明する。
【００１１】
図１は本発明の実施形態に係る画像処理システムの構成例を示すブロック図である。図示した画像処理システムは、ホストコンピュータ１とプリンタ２とによって構成されている。ホストコンピュータ１は、本発明における画像処理装置に相当するもので、パーソナルコンピュータやワークステーション等によって構成されている。プリンタ２は、本発明における画像印刷装置に相当するもので、レーザプリンタ等によって構成されている。これらホストコンピュータ１とプリンタ２とは、例えば、データ通信用のパラレルケーブル（セントロニクスインターフェースケーブル等）やＬＡＮ（Ｌｏｃａｌ  Ａｒｅａ  Ｎｅｔｗｏｒｋ）等のネットワークケーブル等を用いた伝送路３を介して相互に接続されている。
【００１２】
ホストコンピュータ１は、図２に示すように、アプリケーションプログラム４、オペレーティングシステム５、プリンタドライバ６、ホストインターフェース７、表示装置８、入力装置９等を備えて構成されている。
【００１３】
アプリケーションプログラム４は、自身で生成又は取得した文字（テキスト）、図形（グラフィックス）、画像（イメージ）などのデータの描画処理をオペレーティングシステム５に命令する機能をもつ。オペレーティングシステム５は、アプリケーションプログラム４から受けた描画処理命令をプリンタドライバ６に送る機能をもつ。
【００１４】
プリンタドライバ６は、オペレーティングシステム５から受け取った描画処理命令に基づく処理を行うことにより、描画処理の対象となった描画データを、プリンタ２で解釈可能な印刷データ（印刷用の画像データ）に変換し、この変換した印刷データの伝送をホストインターフェース７に依頼する機能をもつ。ホストインターフェース７は、プリンタドライバ６からの依頼にしたがって印刷データを伝走路３を通してプリンタ２に送信する機能をもつ。
【００１５】
表示装置８は、ユーザに対して各種の情報を表示するために用いられるもので、ＣＲＴ（陰極線管）やＬＣＤ（液晶ディスプレイ）等によって構成される。入力装置９は、ユーザが各種の情報を入力するために用いられるもので、キーボードやマウス等によって構成される。
【００１６】
一方、プリンタ２は、ホストコンピュータ１から伝走路３を介して受信した印刷データを解釈し、この印刷データにしたがって所定の記録媒体（用紙等）に画像を印刷出力する機能をもつ。このプリンタ２は、画像形成材料となるトナーを用いて画像を印刷するもので、例えば、シアン、イエロー、マゼンタ、ブラックの４色のトナーを用いて画像（カラー画像、白黒画像）を形成するカラーレーザプリンタなどによって構成される。また、プリンタ２は、トナーを用いて画像を印刷するにあたり、印刷データの濃度に合わせてトナーの量を調節する通常印刷モードの他に、トナーの使用を通常印刷モードよりも節約するセーブモード（トナーセーブモード）を実行する機能をもつ。トナーセーブの具体的な手法については、先述した公知技術を適宜採用することができる。
【００１７】
図３はプリンタドライバの処理内容を概念的に示すブロック図である。図３において、アプリケーションプログラム４から送られた描画処理命令をプリンタドライバ６内の描画処理部６１で受け取って描画処理（ラスタライズ）することにより、描画処理の対象となった描画データをページ単位で印刷データ（ラスターデータ）に変換する。このとき、描画処理部６１においては、各ページの印刷データをシアン用の印刷データ（以下、シアンデータ）Ｃ、イエロー用の印刷データ（以下、イエローデータ）Ｙ、マゼンタ用の印刷データ（以下、マゼンタデータ）Ｍ、ブラック用の印刷データ（以下、ブラックデータ）Ｋといった具合に各色毎に分離して描画し、ページ終了の通知があると、各色に対応する１ページ分の印刷データＣ，Ｍ，Ｙ，Ｋをホストインターフェース７を介してプリンタ２に出力する。
【００１８】
その際、プリンタ２で画像を印刷するときの印刷動作モードとして、トナーセーブモードの実行可否を指示するプリンタ制御データが、上記各色毎の印刷データＣ，Ｍ，Ｙ，Ｋと共にプリンタドライバ６からプリンタ２へと出力される。これにより、プリンタ２においては、プリンタドライバ６からのプリンタ制御データにしたがい、上記印刷データＣ，Ｍ，Ｙ，Ｋに基づく画像を通常印刷モード又はトナーセーブモードで記録媒体に印刷出力する。すなわち、プリンタドライバ６でトナーセーブモードの設定がオン状態に設定されていた場合はその旨を指示するプリンタ制御データにしたがってプリンタ２がトナーセーブモードで画像を印刷し、プリンタドライバ６でトナーセーブモードの設定がオフ状態に設定されていた場合はその旨を指示するプリンタ制御データにしたがってプリンタ２が通常印刷モードで画像を印刷する。
【００１９】
続いて、プリンタドライバ６が備える処理機能を、実際にプリンタドライバ６が実行する処理手順（画像処理方法）をもって説明する。
【００２０】
図４はプリンタドライバによって行われる処理手順を示すフローチャートである。先ず、アプリケーションプログラム４からオペレーティングシステム５を介して送られた描画処理命令を入力する（ステップＳ１）。このとき入力する描画処理命令には、実際に描画データの描画を指示する描画コマンドと、描画データの描画を制御するための制御コマンドとがある。描画コマンドには、例えば、テキストデータ、グラフィックスデータ、イメージデータなどの描画を指示するコマンドが含まれる。制御コマンドには、例えば、ジョブ開始、ジョブ終了、ページ開始、ページ終了などを指示するコマンドが含まれる。
【００２１】
次に、入力した描画処理命令がページ終了を指示するコマンド（制御コマンド）であるかどうかを判断し（ステップＳ２）、ページ終了を指示するコマンドでなかった場合（ステップＳ２でＮｏの場合）は、その描画処理命令が描画コマンドであるかどうかを判断する（ステップＳ３）。そして、描画コマンドである場合（ステップＳ３でＹｅｓの場合）は、その描画コマンドにしたがって描画処理を行った後（ステップＳ４）、ステップＳ１に戻り、描画コマンドでなかった場合（ステップＳ３でＮｏの場合）は、そのままステップＳ１に戻る。また、上記ステップＳ１で入力した描画処理命令がページ終了を指示するコマンドであった場合（ステップＳ２でＹｅｓの場合）はステップＳ５へと移行し、そこでトナーセーブモード設定処理を行った後、ステップＳ６でプリンタ２に１ページ分の印刷用の画像データ（ページ画像）を出力してからステップＳ１に戻る。ちなみに、ステップＳ６においては、シアン、イエロー、マゼンタ、ブラックの各色に対応する１ページ分の印刷用の画像データを、各色毎にトナーセーブモードの実行可否を指示するプリンタ制御データと共にプリンタ２に出力する。
【００２２】
図５及び図６はプリンタドライバによって実行されるトナーセーブモード設定処理の一例を示すフローチャートである。先ず、描画処理で生成された１ページ分のシアンデータの印刷の画素数（印刷のドット数）をカウントした後（ステップＳ１０１）、そのカウントした印刷の画素数に１画素あたりのトナー使用量（１つのドットを印刷するのに使用されるトナーの使用量）を乗算することにより、ページ画像の印刷に使用されるシアントナーの使用量を算出する（ステップＳ１０２）。
【００２３】
次に、先ほど算出したシアントナーの使用量と予め設定されたシアン用の閾値とを比較することにより、シアントナーの使用量（算出値）が閾値よりも大きいかどうかを判断し（ステップＳ１０３）、大きい場合は、シアントナーに対応するトナーセーブモードをオンに設定し（ステップＳ１０４）、大きくない場合（シアントナーの使用量が閾値以下の場合）は、シアントナーに対応するトナーセーブモードをオフに設定する（ステップＳ１０５）。
【００２４】
以後、イエロー、マゼンタ、ブラックの各色のトナーセーブモードに関しても、上記シアントナーの場合と同様の手順でオンオフの設定処理を行う（ステップＳ１０６〜１２０）。すなわち、ステップＳ１０６〜Ｓ１１０ではイエロートナーに対応するトナーセーブモードのオンオフ設定処理を行い、ステップＳ１１１〜Ｓ１１５ではマゼンタトナーに対応するトナーセーブモードのオンオフ設定処理を行い、ステップＳ１１６〜Ｓ１２０ではブラックトナーに対応するトナーセーブモードのオンオフ設定処理を行う。
【００２５】
このようにシアン、イエロー、マゼンタ、ブラックの各色のトナーに関して、それぞれページ画像の印刷に使用するトナー使用量を算出し、この算出したトナー使用量に応じてトナーセーブモードのオンオフを設定することにより、実際に１ページ分の画像（ページ画像）を印刷するに使用されるトナー使用量に合わせてトナーセーブモードのオンオフを自動的に設定（切り替え）することができる。
【００２６】
また、印刷の画素数をカウントする処理と、トナー使用量を算出する処理と、トナーセーブモードのオンオフを設定する処理を、それぞれ各色毎に行うことにより、例えば、ページ画像の印刷に際してトナー使用量が相対的に少ないトナーの場合はトナーセーブモードをオフに設定し、トナー使用量が相対的に多いトナーの場合はトナーセーブモードをオンに設定するなど、各色のトナーの使用量に合わせてトナーセーブモードのオンオフを個別に設定することができる。
【００２７】
また、プリンタドライバ６の構成として、各色毎の閾値を設定するための値を入力装置９によってユーザが任意に入力できる構成とし、この入力装置９から入力された値にしたがって各色毎の閾値を変更できる構成とすることにより、トナーセーブモードの設定条件をユーザの好みやプリンタ２の使用環境などに合わせて自由に変更することが可能となる。
【００２８】
図７はプリンタドライバによって実行されるトナーセーブモードの設定処理の他の例を示すフローチャートである。先ず、描画処理で生成されたシアンデータの印刷の画素数（印刷のドット数）をカウントした後（ステップＳ２０１）、そのカウントした印刷の画素数に１画素あたりのトナー使用量を乗算することにより、ページ画像の印刷に使用されるシアントナーの使用量を算出する（ステップＳ２０２）。以降、同様の手順でイエロー、マゼンタ、ブラックの各色ごとに、ページ画像の印刷に使用されるトナー使用量を求める（ステップＳ２０３〜２０８）。すなわち、ステップＳ２０３，Ｓ２０４ではイエロートナーの使用量を求め、ステップＳ２０５，Ｓ２０６ではマゼンタトナーの使用量を求め、ステップＳ２０７，Ｓ２０８ではブラックトナーの使用量を求める。
【００２９】
その後、上記ステップＳ２０１〜Ｓ２０８で算出した各色（シアン、イエロー、マゼンタ、ブラック）毎のトナー使用量を含む情報を、トナーセーブモードのオンオフを設定するための設定用画面として表示装置８に表示する（ステップＳ２０９）。図８に具体的な設定用画面の表示例を示す。図示した設定用画面の中には、各色毎のトナー使用量を通知する通知ボックスと、各色毎にトナーセーブモードのオンオフ（トナーセーブをする、しない）を選択可能な選択ボックスと、トナーセーブモードのオンオフを確定するための「ＯＫ」ボタンと、印刷の中止を指示する「印刷中止」ボタンとが設けられている。通知ボックスには、ページ画像の印刷に使用されるトナー使用量が各色毎にｍｇ単位の数字で表示されるようになっている。図８の表示例では、シアントナーの使用量が１ｍｇ、イエロートナーの使用量が２０ｍｇ、マゼンタトナーの使用量が１０ｍｇ、ブラックトナーの使用量が５０ｍｇでそれぞれ表示されている。また、選択ボックスでは、各色のトナーに関してトナーセーブモードのオンオフ（する、しない）をマウス等の入力装置９を用いて任意に選択できるようになっている。
【００３０】
これに対して、ユーザは、表示装置８に表示された設定用画面を見ながら、各色のトナーに関してトナーセーブモードのオンオフを入力装置９で選択し（ステップＳ２１０）、画面中の「ＯＫ」ボタンを押す。そうすると、その時点でトナーセーブモードのオンオフの設定が確定する（ステップＳ２１１）。例えば、上記図８に示す設定用画面上において、シアントナーに対応するトナーセーブモードをオフ（しない）、イエロートナーに対応するトナーセーブモードをオン（する）、マゼンタトナーに対応するトナーセーブモードをオフ（しない）、ブラックトナーに対応するトナーセーブモードをオン（する）で選択すると、この選択結果にしたがってトナーセーブモードのオンオフが設定される。
【００３１】
このようにシアン、イエロー、マゼンタ、ブラックの各色のトナーに関して、それぞれページ画像の印刷に使用されるトナー使用量を算出するとともに、この算出したトナー使用量を設定用画面の通知ボックスで通知してトナーセーブモードのオンオフの選択を選択ボックスで受け付けて最終的なトナーセーブモードのオンオフを確定（設定）することにより、ユーザは、実際に印刷に使用されるトナー使用量を正確に把握したうえでトナーセーブモードの実行可否を判断し、トナーセーブモードのオンオフを選択することができる。これにより、トナーセーブモードの設定にかかるユーザの操作性が向上するとともに、ユーザの意図通りにトナーセーブモードを実行してトナーの消費を抑えることができる。
【００３２】
なお、上記実施形態においては、トナーセーブモードの設定を指示する対象として、４色のトナーを用いて画像を印刷するカラープリンタを例に挙げて説明したが、これ以外にも、例えば、シアン、イエロー、マゼンタの３色のトナーを用いて画像を印刷するカラープリンタや、ブラックのトナーだけを用いて画像を印刷する白黒プリンタなどであってもよい。また、画像形成材料としてインクを用いて画像を形成するインクジェットプリンタや、それ以外の画像形成材料を用いて画像を形成するプリンタであってもよい。さらに、画像印刷装置としては、プリンタ以外にも、例えば、デジタル複写機やファクシミリ装置、あるいはそれらの機能を複合的に備えるデジタル複合機であってもよい。
【００３３】
また、上記実施形態においては、印刷の画素数をカウントする処理と、トナー使用量を算出する処理と、トナーセーブモードのオンオフを設定する処理を、それぞれページ単位で行うようにしたが、各々の処理を印刷のジョブ単位で行うようにしてもよい。また、トナーなどの画像形成材料の使用量を各色毎に求める以外にも、各色のトナーの使用量を全て足し合わせたトナー総使用量をページ単位又はジョブ単位で求め、このトナー総使用量に応じてトナーセーブのオンオフを設定するようにしてもよい。
【００３４】
【発明の効果】
以上説明したように本発明によれば、印刷対象となる画像データを画像処理装置から画像印刷装置に供給して画像を印刷するにあたり、画像形成材料を用いた印刷の画素数をカウントするとともに、このカウントした印刷の画素数に基づいて、画像の印刷に使用される画像形成材料の使用量を算出し、この算出した画像形成材料の使用量に応じて、セーブモードのオンオフを設定することにより、実際に画像の印刷に使用される画像形成材料の使用量に合わせて、セーブモードのオンオフを適切に設定することができる。これにより、画像印刷装置が備えるセーブモード機能をより有効に活用することが可能となる。
【図面の簡単な説明】
【図１】本発明の実施形態に係る画像処理システムの構成例を示すブロック図である。
【図２】ホストコンピュータの構成例を示すブロック図である。
【図３】プリンタドライバの処理内容を概念的に示すブロック図である。
【図４】プリンタドライバによって行われる処理手順を示すフローチャートである。
【図５】プリンタドライバによって実行されるトナーセーブモード設定処理の一例を示すフローチャート（その１）である。
【図６】プリンタドライバによって実行されるトナーセーブモード設定処理の一例を示すフローチャート（その２）である。
【図７】プリンタドライバによって実行されるトナーセーブモードの設定処理の他の例を示すフローチャートである。
【図８】設定用画面の表示例を示す図である。
【符号の説明】
１…ホストコンピュータ、２…プリンタ、３…伝送路、３…アプリケーションプログラム、５…オペレーティングシステム、６…プリンタドライバ、７…ホストインターフェース、８…表示装置、９…入力装置、６１…描画処理部
【図１】
2004177884.tif 000003
【図２】
2004177884.tif 000004
【図３】
2004177884.tif 000005
【図４】
2004177884.tif 000006
【図５】
2004177884.tif 000007
【図６】
2004177884.tif 000008
【図７】
2004177884.tif 000009
【図８】
2004177884.tif 000010